(57)【要約】【課題】  作業現場で容易に入力可能であり、生産履歴を正確に記録できる農業生産工程管理システムおよび農業生産工程管理装置の提供を目的とする。【解決手段】  本発明の農業生産工程管理システムは、農業生産工程管理手段１１と、記憶手段１２と、作業記録手段とを有し、前記記憶手段１２には、農業生産工程管理情報を含み、前記農業生産工程管理手段１１は、前記農業生産工程管理情報に基づき作業チェックリストを生成し、前記作業記録手段により、前記作業チェックリストに作業履歴を記録し、前記作業記録手段が、ＩＣタグ読取手段１５および音声入力手段１６の少なくとも一方を含む、ことを特徴とする。【選択図】  図１
2011086208.tif 000002
【特許請求の範囲】
【請求項１】
農業生産工程管理手段と、記憶手段と、作業記録手段とを有し、
前記記憶手段には、農業生産工程管理情報を含み、
前記農業生産工程管理手段は、前記農業生産工程管理情報に基づき作業チェックリストを生成し、
前記作業記録手段により、前記作業チェックリストに作業履歴を記録し、
前記作業記録手段が、ＩＣタグ読取手段および音声入力手段の少なくとも一方を含む、
ことを特徴とする農業生産工程管理システム。
【請求項２】
さらに、ＩＣタグ発行手段を含み、
前記農業生産工程管理手段は、前記農業生産工程管理情報に基づきＩＣタグ記録情報を生成し、
前記ＩＣタグ発行手段は、前記ＩＣタグ記録情報に基づき、ＩＣタグを発行することを特徴とする請求項１記載の農業生産工程管理システム。
【請求項３】
前記ＩＣタグが、作業現場、倉庫および農業用品の少なくとも一つに配置されていることを特徴とする請求項１または２に記載の農業生産工程管理システム。
【請求項４】
前記記憶手段の農業生産工程管理情報が、農業生産計画情報を含み、
前記農業生産工程管理手段が、前記農業生産計画情報に基づき、農業生産計画を生成し、
前記農業生産計画に基づき、作業チェックリストが作成されることを特徴とする請求項１から３のいずれか一項に記載の農業生産工程管理システム。
【請求項５】
さらに、記録者への情報提供手段を含み、
前記情報提供手段が、前記作業チェックリストのチェック項目に関する情報を提供することを特徴とする請求項１から４のいずれか一項に記載の農業生産工程管理システム。
【請求項６】
さらに、端末を含み、前記端末および前記農業生産工程管理手段が、システム外の通信回線網により接続可能であり、前記端末から、前記作業チェックリストの作業履歴を閲覧可能であることを特徴とする請求項１から５のいずれか一項に記載の農業生産工程管理システム。
【請求項７】
請求項１から５のいずれか一項に記載の農業生産工程管理システムに使用され、
農業生産工程管理手段と、記憶手段と、作業記録手段とを有し、
前記記憶手段には、農業生産工程管理情報を含み、
前記農業生産工程管理手段は、前記農業生産工程管理情報に基づき作業チェックリストを生成し、
前記作業記録手段により、前記作業チェックリストに作業履歴を記録し、
前記作業記録手段が、ＩＣタグ読取手段および音声入力装置の少なくとも一方を含む、
ことを特徴とする農業生産工程管理装置。
【請求項８】
前記農業生産工程管理手段が、装置外の通信回線網と介し、装置外の端末と接続可能であり、
前記端末から、前記作業チェックリストの作業履歴を閲覧可能であることを特徴とする請求項７記載の農業生産工程管理装置。
【発明の詳細な説明】
【技術分野】
【０００１】
本発明は、農業生産工程管理システムおよび農業生産工程管理装置に関する。
【背景技術】
【０００２】
最近、農業分野の生産効率および食の安全性等の観点から、適正農業規範であるＧＡＰ（Ｇｏｏｄ  Ａｇｒｉｃｕｌｔｕｒａｌ  Ｐｒａｃｔｉｃｅ）が注目されている。ＧＡＰは、食品安全、環境保全、労働安全および品質向上等の様々な観点から、生産者が、農産物生産の各工程で、守るべき管理基準とその実践に関するものである。ＧＡＰの実行の最初の段階として、ＧＡＰの内容に沿った作業および管理等を適切に実施したかを記録する必要がある。ＧＡＰの作業および管理等の記録のために、図９に示すチェックシートが作成され、農家に配布されている。図９に示すチェックシートは、（１）準備と（２）栽培管理の項目に関するものである。このチェックシートにおいて、チェック項目に、必須項目か否かの表示、重要項目か否かの表示および項目の内容等が記載されており、チェック項目に対応するようにチェック欄が設けられている。ＧＡＰを実行する生産者は、チェック項目を読み、実行した場合は、チェック欄にチェックすると共に実行した日付を記入する。
【０００３】
しかしながら、農作業中に、現場で、チェックシートに手で記入することは、困難である。また、作業後に、自宅等でチェックシートに記入する場合、日付を正確に記入できなかったり、または、記入そのものを忘れてしまったりする恐れがある。一方、農作物の生産過程における作業計画を表示し、操作性良く簡易かつ効率的に生産履歴管理および確認が可能な生産履歴管理プログラムが提案されている（特許文献１）。
【先行技術文献】
【特許文献】
【０００４】
【特許文献１】特開２００９−６４２３１号公報
【発明の概要】
【発明が解決しようとする課題】
【０００５】
前記生産履歴管理プログラムは、コンピュータで生産履歴等を管理するため、正確に管理できるという利点があるが、入力の主な手段は、キーボードを用いた手入力であるため、圃場等の作業現場での入力が困難であり、また、自宅等で入力する場合は、入力ミスおよび入力忘れの問題がある。
【０００６】
本発明は、作業現場で容易に入力可能であり、生産履歴を正確に記録できる農業生産工程管理システムおよび農業生産工程管理装置の提供を目的とする。
【課題を解決するための手段】
【０００７】
本発明の農業生産工程管理システムは、
農業生産工程管理手段と、記憶手段と、作業記録手段とを有し、
前記記憶手段には、農業生産工程管理情報を含み、
前記農業生産工程管理手段は、前記農業生産工程管理情報に基づき作業チェックリストを生成し、
前記作業記録手段により、前記作業チェックリストに作業履歴を記録し、
前記作業記録手段が、ＩＣタグ読取手段および音声入力装置の少なくとも一方を含む、
ことを特徴とする。
【０００８】
本発明の農業生産工程管理装置は、本発明の農業生産工程管理システムに使用され、
農業生産工程管理手段と、記憶手段と、作業記録手段とを有し、
前記記憶手段には、農業生産工程管理情報を含み、
前記農業生産工程管理手段は、前記農業生産工程管理情報に基づき作業チェックリストを生成し、
前記作業記録手段により、前記作業チェックリストに作業履歴を記録し、
前記作業記録手段が、ＩＣタグ読取手段および音声入力手段の少なくとも一方を含む、
ことを特徴とする。
【発明の効果】
【０００９】
本発明では、作業履歴の入力手段として、ＩＣタグ読取手段および音声入力手段のいずれかまたは双方を使用するため、例えば、作業現場でのチェック項目も容易に入力可能である。このため、本発明によれば、例えば、ＧＡＰの作業履歴を正確かつ容易に記録することが可能となる。特に、農作業従事者の高齢化が進む中、本発明のシステムは、特に、高齢の農作業従事者に好ましい。
【図面の簡単な説明】
【００１０】
【図１】図１は、本発明のシステムの一例を示す構成図である。
【図２】図２は、本発明の記憶手段の一例を示す構成図である。
【図３】図３は、本発明のＧＡＰリストＤＢの一例を示す構成図である。
【図４】図４は、本発明の農薬ＤＢの一例を示す構成図である。
【図５】図５は、農薬ＤＢの構成およびタグの発行の流れを示す模式図である。
【図６】図６は、肥料ＤＢの構成およびタグの発行の流れを示す模式図である。
【図７】図７は、本発明のシステムの処理の流れを示すフローチャート図である。
【図８】図８は、本発明のシステムの多機能携帯電話の一例を示す構成図である。
【図９】図９は、ＧＡＰのチェックシートの一例である。
【発明を実施するための形態】
【００１１】
本発明の農業生産工程管理システムにおいて、さらに、ＩＣタグ発行手段を含み、前記農業生産工程管理手段は、前記農業生産工程管理情報に基づきＩＣタグ記録情報を生成し、前記ＩＣタグ発行手段は、前記ＩＣタグ記録情報に基づき、ＩＣタグを発行することが好ましい。
【００１２】
本発明の農業生産工程管理システムにおいて、前記ＩＣタグが、作業現場、倉庫および農業用品の少なくとも一つに配置されていることが好ましい。
【００１３】
本発明の農業生産工程管理システムにおいて、前記記憶手段の農業生産工程管理情報が、農業生産計画情報を含み、前記農業生産工程管理手段が、前記農業生産計画情報に基づき、農業生産計画を生成し、前記農業生産計画に基づき、作業チェックリストが作成されることが好ましい。
【００１４】
本発明の農業生産工程管理システムにおいて、さらに、記録者への情報提供手段を含み、前記情報提供手段が、前記作業チェックリストのチェック項目に関する情報を提供することが好ましい。
【００１５】
本発明の農業生産工程管理システムにおいて、さらに、端末を含み、前記端末および前記農業生産工程管理手段が、システム外の通信回線網により接続可能であり、前記端末から、前記作業チェックリストの作業履歴を閲覧可能であることが好ましい。
【００１６】
本発明の農業生産工程管理装置において、前記農業生産工程管理手段が、装置外の通信回線網と介し、装置外の端末と接続可能であり、前記端末から、前記作業チェックリストの作業履歴を閲覧可能であることが好ましい。
【００１７】
つぎに、本発明の実施形態について説明する。ただし、本発明は、以下の実施形態のよって、制限および限定されない。
【００１８】
（実施形態１）
図１に、本発明の農業生産工程管理システムの一例の構成を示す。図示のように、本発明の農業生産工程管理装置の本体１は、農業生産工程管理手段１１、記憶手段（データベース）１２、モニター１３、ＩＣタグ発行装置（プリンター）１４を備える。また、農業生産工程管理手段１１は、ＩＣタグリーダ（ＩＣタグ読取手段）１５および音声入力装置１６に接続されている。また、農業生産工程管理手段１１は、システム外の通信回線網６を介し、農家の端末４１およびバイヤの端末５１に接続している。
【００１９】
本発明において、ＩＣタグは、特に制限されない。ＩＣタグとしては、例えば、パッシブ型ＲＦＩＤタグ、アクティブ型ＲＦＩＤタグがあげられる。前記パッシブ型ＲＦＩＤタグとしては、例えば、ラベル型タグ、金属対応タグ、樹脂成型タグ等があげられる。前記アクティブ型ＲＦＩＤタグとしては、例えば、電源を内蔵するアクティブタグがあげられる。また、本発明において、ＩＣタグ内蔵の可逆性表示記録媒体を使用することが好ましい。ＩＣタグ内蔵の可逆性表示記録媒体は、通常、「リライタブルタグ」と呼ばれている。リライタブルタグは、その表面に、目視可能なように情報が記載される。リライタブルの表面には、バーコードおよびＱＲコード等を有していても良い。リライタブルタグは、発行装置と共に市販されている。リライタブルタグは、発行装置によって、表面の記載および記載の消去と、内蔵ＩＣタグの情報の記録および情報の消去が可能であり、何回でも利用できる。また、リライタブルタグは、通常、プラスチック製であり、湿気に強く、圃場のような水気が多い場所の使用に適している。ＩＣタグリーダは、特に制限されず、ＩＣタグに応じて適宜選択して使用できる。また、携帯電話にＩＣタグリーダを装着して使用してもよい。
【００２０】
本発明において、音声入力装置は特に制限されず、市販品を使用することができる。
【００２１】
本発明において、作業記録手段として、ＩＣタグリーダおよび音声入力装置以外のものを使用してもよい。例えば、携帯電話、デジタルカメラ等も作業記録手段として使用してもよい。
【００２２】
本発明において、携帯電話は、ＩＣタグリーダ機能、カメラ機能、サーバとの接続機能、およびメモリー機能等を備えている多機能の携帯電話を使用することが好ましい。図８に、多機能携帯電話の構成例を示す。図示のように、この多機能携帯電話のアプリケーションは、上位アプリケーションの下に、ＳＤ制御、カメラ制御、ＲＦＩＤ制御およびサーバ接続の各種制御が配置されており、各制御により、ＳＤメモリー、カメラ、ＲＦＩＤおよびサーバ接続が制御される。また、この携帯電話は、専用サーバにアクセスして、パラメータの設定、サーバへの書き込み、サーバからの読み込みが可能である。
【００２３】
図２に、データベース１２の構成の一例を示す。図示のように、データベース１２は、ＧＡＰチェックリストマスタ１２１、生産計画データベース（ＤＢ）１２２、作業者データベース（ＤＢ）１２３、作業場所データベース（ＤＢ）１２４、作業状況データベース（ＤＢ）１２５、農薬データベース（ＤＢ）１２６、肥料データベース（ＤＢ）１２７および文書ファイル１２８を含み、これらが、農業生産工程管理情報を構成する。作業状況ＤＢ１２５は、ＧＡＰチェックデータベース（ＤＢ）である。
【００２４】
図３にＧＡＰチェックリストマスタ１２１の構成を示す。図示のように、ＧＡＰチェックリストマスタ１２１には、農林水産省の基礎ＧＡＰ、日本ＧＡＰ協会のＧＡＰ（ＪＧＡＰ）、フードチェイン店等のバイヤが指定するバイヤ指定ＧＡＰ、および農家が個別に策定した個別ＧＡＰが格納されており、生産計画の生成等の際に、適宜選択される。
【００２５】
生産計画ＤＢ１２２には、生産計画の生成に関する情報が格納されている。生産計画の生成に関する情報としては、農産物の種類、栽培情報（栽培時期、栽培期間、収穫時期、必要農薬、必要肥料等）、工程情報（必要人数、必要農機具等）、防除情報等がある。また、生産計画ＤＢには、年間等の長期、月間等の中期、週または日単位の短期の計画に分けて、各種情報が格納されていてもよい。また、前年度（もしくは前回）の生産計画に関する履歴が格納されていてもよい。前年度の生産計画の履歴を基に、今年度の生産計画を生成してもよい。
【００２６】
作業者ＤＢ１２３には、作業者の関する情報が格納されている。作業者に関する情報としては、氏名、性別、所属、作業履歴、作業能力、作業者が保有する資格に関する情報等がある。
【００２７】
作業場所ＤＢ１２４には、作業場場所に関する情報が格納されている。作業場所に関する情報としては、農作業の場所に関する情報があり、例えば、圃場情報（作付面積、位置等）等がある。作業現場では、例えば、管理する現場単位で、ＩＣタグが配置される。
【００２８】
作業状況ＤＢ１２５は、ＧＡＰチェックＤＢであり、これにＧＡＰのチェック事項に対し、チェックを入れていく。ただし、このチェックは、後述するように、手による入力ではなく、音声入力およびＩＣタグを利用した自動入力により実施される。作業状況ＤＢのチェック項目は、使用するＧＡＰに従う。また、作業状況ＤＢでは、タイムスタンプを自動記録し、チェックした時間（年月日時間）が記録される。また、作業状況ＤＢには、栽培記録も含まれてもよい。また、ＧＡＰチェックシートは、プリントアウト可能であってもよい。
【００２９】
農薬ＤＢ１２６には、農薬に関する情報が格納されている。図４に、農薬ＤＢ１２６の構成を示す。図示のように、農薬ＤＢ１２６には、農薬管理リストおよび農薬使用計画が格納されている。また、図５に、農薬ＤＢからタグが発行されて、農薬の容器に付されるまでの流れと、農薬ＤＢに格納されている農薬情報の一例を示す。図５に示すように、農薬ＤＢに格納される情報としては、例えば、農薬購入台帳、農薬名、ラベル情報、使用予定、有効期限、保管場所および責任者がある。また、農薬に関するＩＣタグ１４１は、後述する生産計画の生成の際に、農薬ＤＢ１２６からの情報に従い、プリンター１４により、農薬に関する情報をＩＣタグに記録して発行され、農薬に付される。なお、ＩＣタグが、リライタブルタグの場合は、タグの表面に農薬名および使用期限等の目視可能な情報が同時に記載される。
【００３０】
肥料ＤＢ１２７には、肥料に関する情報が格納されている。図６に、肥料ＤＢからタグが発行されて、肥料に付されるまでの流れと、肥料ＤＢに格納されている肥料情報の一例を示す。図６に示すように、肥料ＤＢに格納される情報としては、例えば、肥料購入台帳、肥料名、ラベル情報、使用予定、有効期限、保管場所および責任者がある。また、肥料に関するＩＣタグ１４１は、後述する生産計画の生成の際に、肥料ＤＢ１２７からの情報に従い、プリンター１４により、肥料に関する情報をＩＣタグに記録して発行され、肥料に付される。なお、ＩＣタグが、リライタブルタグの場合は、タグの表面に肥料名および使用期限等の目視可能な情報が同時に記載される。
【００３１】
文書ファイル１２８には、例えば、農作業の検討記録等の文書ファイルを格納しておく。
【００３２】
図１に示すシステムにおけるＧＡＰに基づくチェック作業の流れを、図７のフローチャート図に示す。図７に示すように、まず、データベース１２の各種情報に基づき、農業生産工程管理手段１１により、チェックリストが作成され（Ｓ１）、データベース１２のチェックリストＤＢに登録される（Ｓ２）。つぎに、チェックリストの各項目において、タグを発行するか否かが判断される（Ｓ３）。そして、発行すると判断された場合は、ＩＣタグ発行装置１４により、ＩＣタグ１４１が発行され（Ｓ４）、各場所に配置される。図１に示すように、発行されたＩＣタグ１４１は、例えば、倉庫２において、農薬２１および肥料２２に付される。また、作業現場（圃場）３においては、ＩＣタグとして、場所を示す場所ＩＣタグ、各作業に応じ発行される作業ＩＣタグ、および各作業者に付される作業者ＩＣタグが、配置される。また、図示していないが、例えば、農薬の散布方法、農薬散布機等の方法に関する方法ＩＣタグを発行して配置してもよい。図１において、７は、作業者を示す。そして、作業者は、ＧＡＰのチェックリストに従って作業を記録する（Ｓ５）。作業記録は、ＩＣタグリーダ１５および音声入力装置１６が使用される。なお、前述のように、ＩＣタグリーダ１５として、ＩＣタグリーダ機能を備えた携帯電話を使用してもよい。
【００３３】
図１に示すシステムにおいて、ＩＣタグリーダ１５を用いた作業記録は、例えば、農薬２１の散布の場合、次のようにして行う。まず、作業者７が、ＩＣタグリーダ１５で自分の作業者ＩＣタグ１４１を読むことにより、チェックリストの作業者の項目が自動的にチェックされる。そして、作業者７が、倉庫２に行き、所定の農薬２１に付されたＩＣタグ１４１を、ＩＣタグリーダ１５で読むことにより、チェックリストに、農薬の種類、使用期限および使用予定等が自動的にチェックされる。また、農薬散布機（図示せず）に付されたＩＣタグをＩＣタグリーダで読むことにより、使用する散布機が、チェックリストに自動的にチェックされる。また、散布機の事前点検は、散布機に付されたＩＣタグと、散布機チェックＩＣタグとを、ＩＣタグリーダで読むことにより、チェックリストに自動的にチェックされる。そして、作業現場（圃場）３において、場所ＩＣタグ１４１を、ＩＣタグリーダ１５で読むことにより、チェックリストに農薬２１の散布場所が自動的にチェックされる。そして、農薬２１の散布が終了したら、作業者７が、ＩＣタグリーダ１５で、作業ＩＣタグ１４１を読むことにより、チェックリストに、農薬散布が終了したことが、自動的にチェックされる。散布終了後、洗浄場所において、散布機の洗浄を行う。この際、洗浄場所の場所ＩＣタグと、散布機のＩＣタグをＩＣタグリーダで読むことにより、チェックリストに散布機の洗浄が自動的にチェックされる。
【００３４】
ＩＣタグおよびＩＣタグリーダを用いることにより、作業中であっても、チェックリストに容易に作業をチェックできる。また、ＩＣタグを使用することにより、従来の手書きのチェックで問題になった、チェック漏れが防止できる。さらに、ＩＣタグは、固有のＩＤを持っているため、必ず、ＩＣタグが配置されている場所でＩＣタグを読む必要があるため、確実に作業を行ったことが証明可能であり、監査の意味からも、好ましい。
【００３５】
図１に示すシステムにおいて、音声入力装置１６を用いた作業記録は、例えば、農薬２１の散布の場合、次のようにして実施できる。例えば、圃場３の天気、風向き、等の作業条件を、作業者７が音声入力装置１６で、入力することにより、チェックリストに、作業条件がチェックされる。また、農薬散布後、作業者７が、音声入力装置１６で、農薬の残量、残った農薬の処理等を入力することにより、チェックリストに残った農薬の処理がチェックされる。
【００３６】
音声入力装置が音声出力機能も備えている場合は、音声入力装置による入力は、音声システムによる対話式の入力が好ましい。例えば、作成されたチェックリストに基づき、農業生産工程管理手段１１により、チェック項目が、合成音で、音声入力装置から出力され、これに対し、作業者が、口頭で回答することにより、チェックリストにチェックすることができる。例えば、チェックリストに基づき、農業生産工程管理手段１１が、音声入力装置１６から「使用した農薬は適切に倉庫に保管しましたか？」と合成音で出力し、これに対し、作業者７が、「はい。」と答えたら、農業生産工程管理手段１１により、チェックリストにチェックする。作業者７が、「いいえ。」と回答した場合は、農業生産工程管理手段１１が、音声入力装置１６から「すぐに適切に保管してください。」と合成音で出力することにより、作業者７に作業を促す。そして、作業者７の作業が完了したころ、再度、農業生産工程管理手段１１が、音声入力装置１６から「保管は終了しましたか？」と合成音で出力し、作業者７が「はい。」と回答したら、再度、農業生産工程管理手段１１が、音声入力装置１６から「これで、ＧＡＰチェックシステムを終了します。」と合成音で出力して、作業記録が終了したことを作業者７に知らせる。チェックリストにおいて、チェックされていない項目がある場合は、アラームが出力されるようにする。アラームは、特に制限されず、例えば、音声入力装置にアラームが鳴ると同時に、前述のように、合成音で、未チェックの項目が説明され、作業者に作業を促しても良い。
【００３７】
ＧＡＰには、実行（作業記録）と監査があるが、監査において、前述のＩＣタグの活用により、監査を確実なものにすることができる。すなわち、ＩＣタグには、固有のＩＤがあるので、ＩＣタグが配置された場所でＩＣタグを読むことにより、正確な記録を残すことが可能であり、偽装を防止することができる。また、デジタルカメラを活用することにより、例えば、作業者が農薬散布の前後の農薬容器をカメラで撮影することにより、農薬散布を行った証拠を写真データとしてデータベースに記録することが可能である。
【００３８】
図１に示すシステムでは、システム外の通信回線網６を介し、例えば、他の農家Ａ〜ＣおよびバイヤＡ〜Ｃが、農業生産工程管理装置１にアクセス可能である。他の農家Ａ〜Ｃは、農業生産工程管理装置１にアクセスして、データベース１２のチェックリスト等を参照することにより、自分の農作業の参考にすることができる。また、フードチェイン店、スーパーマーケット、食料品店、レストランのバイヤ（仕入れ担当者）Ａ〜Ｃが、農業生産工程管理装置１にアクセスして、その農家の農作業の管理、使用農薬の種類と量、使用肥料の種類と量等を検索することができ、自社の規格に合った農家を探すことが簡単になる。また、バイヤが、既に農家と契約している場合、自社規格のＧＡＰに従って農作業を実施しているかが、いつでもチェック可能になる。この他、農協（ＪＡ）等も、農業生産工程管理装置１にアクセス可能であれば、リアルタイムで農家の栽培状況および作業状況が把握できるので、マーケットの動向、天候、行政庁からの指導を加味した支援を農家に実施することが可能となる。
【００３９】
本実施形態で示すように、ＩＣタグおよび音声入力装置の活用により、ＧＡＰをＩＴ化することが可能となり、しかも農業従事者にＧＡＰの実行を促すことになる。また、本発明のシステムにより、農業生産における計画（Ｐ）、実行（Ｄ）、点検評価（Ｃ）および改善見直し（Ａ）のサイクルを早くすることも可能となる。また、本発明において、システムは、農作業従事者のレベルに合わせ、初級、中級、上級というふうに、簡易なシステムから本格的なシステムに段階を分けて設定してもよい。
【００４０】
（実施形態２）
つぎに、日本ＧＡＰ協会のＪＧＡＰのＡ．１「農薬」のチェック項目等について、本発明の一実施態様を、下記の表１から表１２に示す。なお、下記の各表において、「作業者責任」とは、作業者自身の責任で処理する項目である。また、下記の各表において、「本実施形態の態様」が、本発明の一実施態様である。
【表１】
2011086208.tif 000003
【表２】
2011086208.tif 000004
【表３】
2011086208.tif 000005
【表４】
2011086208.tif 000006
【表５】
2011086208.tif 000007
【表６】
2011086208.tif 000008
【表７】
2011086208.tif 000009
【表８】
2011086208.tif 000010
【表９】
2011086208.tif 000011
【表１０】
2011086208.tif 000012
【表１１】
2011086208.tif 000013
【表１２】
2011086208.tif 000014
【産業上の利用可能性】
【００４１】
本発明の農業生産工程管理システムは、農林水産省のＧＡＰ、ＪＧＡＰ、企業、団体または農家が独自に規定したＧＡＰ等、様々なＧＡＰに対応可能であり、しかもＧＡＰの実行が容易で、かつ監査を確実にする。
【符号の説明】
【００４２】
１      農業生産工程管理装置の本体
２      倉庫
３      作業現場（圃場）
６      通信回線網
７      作業者
１１    農業生産工程管理手段
１２    記憶手段（データベース）
１３    モニター
１４    ＩＣタグ発行装置（プリンター）
１５    ＩＣタグリーダ（ＩＣタグ読取手段）
１６    音声入力装置
２１    農薬
２２    肥料
４１    農家の端末
５１    バイヤの端末
１２１  ＧＡＰチェックリストマスタ
１２２  生産計画データベース（ＤＢ）
１２３  作業者データベース（ＤＢ）
１２４  作業場所データベース（ＤＢ）
１２５  作業状況データベース（ＤＢ）
１２６  農薬データベース（ＤＢ）
１２７  肥料データベース（ＤＢ）
１２８  文書ファイル
１４１  ＩＣタグ
【図１】
2011086208.tif 000015
【図２】
2011086208.tif 000016
【図３】
2011086208.tif 000017
【図４】
2011086208.tif 000018
【図５】
2011086208.tif 000019
【図６】
2011086208.tif 000020
【図７】
2011086208.tif 000021
【図８】
2011086208.tif 000022
【図９】
2011086208.tif 000023